(57)【特許請求の範囲】
【請求項１】
移動体端末と、通信エリアにある前記移動体端末に接続される基地局と、コアネットワークを含む第１のネットワークを介して前記基地局に接続される第１のサーバーと、前記第１のネットワークと異なり前記コアネットワークを含まない第２のネットワークを介して前記基地局に接続される第２のサーバーとを備える通信制御システムであって、
前記基地局は、
前記第１のネットワークに接続されている第１のインターフェースに対して前記第１のサーバーに向けて送信されるメッセージの送信先を表わす第１のＩＰアドレスを対応づけるとともに、前記第２のネットワークに接続されている第２のインターフェースに対して前記第２のサーバーに向けて送信されるメッセージの送信先を表わす第２のＩＰアドレスを対応づけるルーティングテーブルを備え、
前記移動体端末から受信したメッセージの送信先を表わすＩＰアドレスが前記第１のＩＰアドレスに含まれる場合、前記ルーティングテーブルに基づき、前記第１のインターフェースに接続されている前記第１のネットワークを介して、当該メッセージを前記第１のサーバーに転送するとともに、
前記移動体端末から受信したメッセージの送信先を表わすＩＰアドレスが前記第２のＩＰアドレスに含まれる場合、前記ルーティングテーブルに基づき、前記第２のインターフェースに接続されている前記第２のネットワークを介して、当該メッセージを前記第２のサーバーに転送することを特徴とする通信制御システム。
【請求項２】
前記基地局は、
前記第２のＩＰアドレスとして、デフォルトルートを前記第２のインターフェースに対応付ける前記ルーティングテーブルを備え、
前記移動体端末から受信したメッセージの送信先を表わすＩＰアドレスが前記第１のＩＰアドレスに含まれない場合、前記ルーティングテーブルに基づき、前記第２のインターフェースに接続されている前記第２のネットワークを介して、前記メッセージを前記第２のサーバーに転送することを特徴とする請求項１に記載の通信制御システム。
【請求項３】
前記ルーティングテーブルは、
前記第１のサーバーに向けて送信されるメッセージの送信先を表わすＩＰアドレスが複数ある場合、当該複数のＩＰアドレスの数よりも少ない数に前記複数のＩＰアドレスを集約するＩＰアドレスグループを前記第１のＩＰアドレスとして、前記第１のインターフェースに対応付けており、
前記ＩＰアドレスグループに含まれる複数のＩＰアドレスに対して前記第１のサーバーが提供する第１のウェブサイトのドメイン名をそれぞれ対応付ける情報を参照して、前記第１のインターフェースを介して前記基地局から受信したメッセージに基づき、前記ＩＰアドレスグループに含まれるＩＰアドレスを前記移動体端末に送信するＤＮＳサーバーと、
前記ＩＰアドレスグループに含まれる複数のＩＰアドレスに対して複数の前記第１のサーバーの個々を表わす複数の第３のＩＰアドレスをそれぞれ対応付ける情報を参照して、前記第１のインターフェースを介して前記基地局から受信したメッセージに含まれる送信先のＩＰアドレスを前記ＩＰアドレスグループに含まれるＩＰアドレスから前記第３のＩＰアドレスに変換するとともに、前記第１のサーバーから受信したメッセージに含まれる送信元のＩＰアドレスを前記第３のＩＰアドレスから前記ＩＰアドレスグループに含まれるＩＰアドレスに変換する第３のサーバーと
をさらに備えることを特徴とする請求項１あるいは２に記載の通信制御システム。
【請求項４】
移動体端末と、通信エリアにある前記移動体端末と接続される基地局と、コアネットワークを含む第１のネットワークを介して前記基地局と接続される第１のサーバーと、前記第１のネットワークと異なり前記コアネットワークを含まない第２のネットワークを介して前記基地局と接続される第２のサーバーとを備える通信制御システムにおける通信制御方法であって、
前記基地局は、
前記移動体端末から受信したメッセージの送信先を表わすＩＰアドレスが前記第１のＩＰアドレスに含まれる場合、前記第１のネットワークに接続されている第１のインターフェースに対して前記第１のサーバーに向けて送信されるメッセージの送信先を表わす第１のＩＰアドレスを対応づけるとともに、前記第２のネットワークに接続されている第２のインターフェースに対して前記第２のサーバーに向けて送信されるメッセージの送信先を表わす第２のＩＰアドレスを対応づけるルーティングテーブルに基づき、前記第１のインターフェースに接続されている前記第１のネットワークを介して、当該メッセージを前記第１のサーバーに転送し、
前記移動体端末から受信したメッセージの送信先を表わすＩＰアドレスが前記第２のＩＰアドレスに含まれる場合、前記ルーティングテーブルに基づき、前記第２のインターフェースに接続されている前記第２のネットワークを介して、当該メッセージを前記第２のサーバーに転送することを特徴とする通信制御方法。
【発明の詳細な説明】
【技術分野】
【０００１】
本発明は、複数のネットワークを利用して、移動体端末から異なるウェブサイトにアクセスするための通信制御システムおよび通信制御方法に関する。
【背景技術】
【０００２】
近年、携帯電話等の移動体端末の普及に伴い、移動体端末による通信制御システムのコアネットワークを利用した移動体端末の通信に加えて、より小規模のフェムトセル基地局を介して固定ブロードバンド網を利用した移動体端末の通信が利用可能になってきている。
このフェムトセル基地局は、例えば、移動体通信システムを提供する通信会社による無線カバレッジを拡大するため、屋外の大型基地局に加え、ユーザの自宅やオフィスの内部に設置され、ユーザの近傍で使用される超小型の基地局である。
【０００３】
例えば、フェムトセル基地局から固定ブロードバンド網を介したインターネットへの通信において、コンテンツ等に応じて、異なる通信路や通信チャネルを利用するものがある（例えば、特許文献１、特許文献２参照）。
【０００４】
また、フェムトセル基地局を利用する通信制御システムとして、図１２、図１３に示すようなものがある。
図１２に示す通り、従来からある通信制御システムは、固定ブロードバンド網１２０、移動体通信システムのコアネットワーク１３０、およびインターネット１４０を含み、移動体端末１１１は、フェムトセル基地局１１２を介してインターネット１４０に含まれる第１のサーバー１４１あるいは第２のサーバー１４２と接続される。
ここで、移動体通信システムを管理する移動体通信会社により認定されているサイト（以降、公式サイトと呼ぶ）は、コアネットワーク１３０上で提供される課金処理やユーザ認証処理において認定された特定のユーザからのアクセスのみを受け付ける。この公式サイトには、ＵＲＬ（例えば、http://www.official.com/）、ＩＰアドレス（例えば、２０．２．０．１）が割り当てられているものとする。
【０００５】
一方、移動体通信会社により認定されていないサイト（以降、勝手サイトと呼ぶ）は、上述の移動体通信会社が提供する課金処理やユーザ認証処理を利用せず、それらの処理において認定されていないユーザからのアクセスも受け付ける。この勝手サイトには、ＵＲＬ（例えば、http://www.unofficial.com/）、ＩＰアドレス（例えば、２３４．２０．２．１３３）が割り当てられているものとする。
【０００６】
フェムトセル基地局１１２は、移動体通信システムにおいて移動体端末１１２と無線通信を行い、移動体端末１１１とインターネット１４０上のウェブサイトとを接続するための基地局である。
フェムトセルゲートウェイ（以降、フェムトセルＧＷと呼ぶ）（移動体通信網―固定網間ゲートウェイ）１３１は、フェムトセルを用いて、固定ブロードバンド網１２０を移動体通信システムへのアクセスネットワークとして活用する場合に、移動体通信システムのコアネットワーク１３０と固定ブロードバンドネットワーク１２０に接続される装置であり、両ネットワークの相互接続を行う。
ＧＧＮＳ（外部ＩＰ網間ゲートウェイ）１３３は、移動体通信システムのコアネットワーク１３０とインターネット１４０に接続される装置であり、両ネットワークの相互接続を行う。
また、移動体通信システムのコアネットワーク１３０は、名前解決機能を有するＤＮＳサーバー１３２を含む。
【０００７】
次に、図１３を参照して、図１２に示した通信制御システムのシーケンスについて説明する。
図１３に示す通り、インターネットアクセスに必要な通信セッションの確立と設定情報の取得を要求するため、Ａｃｔｉｖａｔｅ ＰＤＰ ｃｏｎｔｅｘｔ ｒｅｑｕｅｓｔのメッセージが、移動体端末１１１からＧＧＳＮ１３３に送信されると、ＧＧＳＮ１３３により、移動体端末１１１のＩＰアドレス（例えば、１０．１．０．１）が払い出され、移動体端末１１１に通知される。また、フェムトセル基地局１１２とフェムトセルＧＷ１３１を介して移動体端末１１１とＧＧＳＮ１３３との間に、移動体端末１１１の通信用に、通信セッションが確立される。
【０００８】
ここで、移動体端末１１１から、公式サイト（http://www.official.com/）へのアクセスがＤＮＳサーバー１３２に要求されると、移動体端末１１１に割当てられた通信セッションを利用し、移動体通信網のＤＮＳサーバー１３２は、名前解決によって得られた公式サイトのＩＰアドレス（２０．２．０．１）を移動体端末１１１に通知する。
これにより、移動体端末１１１から送信されたメッセージは、移動体端末１１１に割当てられた通信セッションを利用して、フェムトセル基地局１１２を介して固定ブロードバンド網１２０に転送されるとともに、フェムトセルＧＷ１３１を介してコアネットワーク１３０に転送される。さらに、このメッセージは、ＧＧＳＮ１３３を介してインターネット１４０上の公式サイトを提供するサーバーに転送される。これにより、移動体端末１１１は、公式サイトを提供するサーバーと接続され、公式サイトにアクセスすることができる。
【０００９】
一方、移動体端末１１１から、勝手サイト（http://www.unofficial.com/）へのアクセスがＤＮＳサーバー１３２に要求されると、ＤＮＳサーバー１３２は、名前解決によって得られた勝手サイトのＩＰアドレス（２３４．２０．２．１３３）を移動体端末１１１に通知する。
これにより、移動体端末１１１から送信されたメッセージは、公式サイトの場合と同様にして、フェムトセル基地局１１２を介して、移動体端末１１１に割当てられた通信セッションを利用して、固定ブロードバンド網１２０に転送されるとともに、フェムトセルＧＷ１３１を介してコアネットワーク１３０に転送される。さらに、このメッセージは、ＧＧＳＮ１３３を介してインターネット１４０上の勝手サイトを提供するサーバーに転送される。これにより、移動体端末１１１は、勝手サイトを提供するサーバーと接続され、勝手サイトにアクセスすることができる。
【００１０】
このように、この通信制御システムによると、移動体端末１１１から送信されるメッセージは、公式サイトへのアクセスであっても、勝手サイトへのアクセスであっても、固定ブロードバンド網１２０およびコアネットワーク１３０を介して、インターネット１４０における各サーバーに送信される。
【先行技術文献】
【特許文献】
【００１１】
【特許文献１】特開２００９−２１９６６号公報
【特許文献２】特開２００９−５０４０４８号公報
【発明の概要】
【発明が解決しようとする課題】
【００１２】
しかしながら、移動体端末１１１の普及や高度化により、移動体端末１１１とインターネット１４０との間で通信されるファイルサイズが大容量化するにつれて、コアネットワーク３０における通信負荷が増大する問題がある。
【００１３】
本発明は、このような事情を考慮し、上記の問題を解決すべくなされたものであって、その目的は、移動体端末とインターネットとの間の通信において移動体通信システムのコアネットワークにおける通信負荷を低減させる通信制御システムおよび通信制御方法を提供することにある。
【課題を解決するための手段】
【００１４】
上記問題を解決するために、本発明に係る通信制御システムは、移動体端末と、通信エリアにある前記移動体端末に接続される基地局と、コアネットワークを含む第１のネットワークを介して前記基地局に接続される第１のサーバーと、前記第１のネットワークと異なり前記コアネットワークを含まない第２のネットワークを介して前記基地局に接続される第２のサーバーとを備える通信制御システムであって、前記基地局は、前記第１のネットワークに接続されている第１のインターフェースに対して前記第１のサーバーに向けて送信されるメッセージの送信先を表わす第１のＩＰアドレスを対応づけるとともに、前記第２のネットワークに接続されている第２のインターフェースに対して前記第２のサーバーに向けて送信されるメッセージの送信先を表わす第２のＩＰアドレスを対応づけるルーティングテーブルを備え、前記移動体端末から受信したメッセージの送信先を表わすＩＰアドレスが前記第１のＩＰアドレスに含まれる場合、前記ルーティングテーブルに基づき、前記第１のインターフェースに接続されている前記第１のネットワークを介して、当該メッセージを前記第１のサーバーに転送するとともに、前記移動体端末から受信したメッセージの送信先を表わすＩＰアドレスが前記第２のＩＰアドレスに含まれる場合、前記ルーティングテーブルに基づき、前記第２のインターフェースに接続されている前記第２のネットワークを介して、当該メッセージを前記第２のサーバーに転送する。
【００１５】
また、本発明に係る通信制御システムは、前記基地局が、前記第２のＩＰアドレスとして、デフォルトルートを前記第２のインターフェースに対応付ける前記ルーティングテーブルを備え、前記移動体端末から受信したメッセージの送信先を表わすＩＰアドレスが前記第１のＩＰアドレスに含まれない場合、前記ルーティングテーブルに基づき、前記第２のインターフェースに接続されている前記第２のネットワークを介して、前記メッセージを前記第２のサーバーに転送する。
【００１６】
さらに、本発明に係る通信制御システムは、前記ルーティングテーブルが、前記第１のサーバーに向けて送信されるメッセージの送信先を表わすＩＰアドレスが複数ある場合、当該複数のＩＰアドレスの数よりも少ない数に前記複数のＩＰアドレスを集約するＩＰアドレスグループを前記第１のＩＰアドレスとして、前記第１のインターフェースに対応付けており、前記ＩＰアドレスグループに含まれる複数のＩＰアドレスに対して前記第１のサーバーが提供する第１のウェブサイトのドメイン名をそれぞれ対応付ける情報を参照して、前記第１のインターフェースを介して前記基地局から受信したメッセージに基づき、前記ＩＰアドレスグループに含まれるＩＰアドレスを前記移動体端末に送信するＤＮＳサーバーと、前記ＩＰアドレスグループに含まれる複数のＩＰアドレスに対して複数の前記第１のサーバーの個々を表わす複数の第３のＩＰアドレスをそれぞれ対応付ける情報を参照して、前記第１のインターフェースを介して前記基地局から受信したメッセージに含まれる送信先のＩＰアドレスを前記ＩＰアドレスグループに含まれるＩＰアドレスから前記第３のＩＰアドレスに変換するとともに、前記第１のサーバーから受信したメッセージに含まれる送信元のＩＰアドレスを前記第３のＩＰアドレスから前記ＩＰアドレスグループに含まれるＩＰアドレスに変換する第３のサーバーとをさらに備えることを特徴とする。
【００１７】
また、上記問題を解決するために、本発明に係る通信制御方法は、移動体端末と、通信エリアにある前記移動体端末と接続される基地局と、コアネットワークを含む第１のネットワークを介して前記基地局と接続される第１のサーバーと、前記第１のネットワークと異なり前記コアネットワークを含まない第２のネットワークを介して前記基地局と接続される第２のサーバーとを備える通信制御システムにおける通信制御方法であって、前記基地局は、前記移動体端末から受信したメッセージの送信先を表わすＩＰアドレスが前記第１のＩＰアドレスに含まれる場合、前記第１のネットワークに接続されている第１のインターフェースに対して前記第１のサーバーに向けて送信されるメッセージの送信先を表わす第１のＩＰアドレスを対応づけるとともに、前記第２のネットワークに接続されている第２のインターフェースに対して前記第２のサーバーに向けて送信されるメッセージの送信先を表わす第２のＩＰアドレスを対応づけるルーティングテーブルに基づき、前記第１のインターフェースに接続されている前記第１のネットワークを介して、当該メッセージを前記第１のサーバーに転送し、前記移動体端末から受信したメッセージの送信先を表わすＩＰアドレスが前記第２のＩＰアドレスに含まれる場合、前記ルーティングテーブルに基づき、前記第２のインターフェースに接続されている前記第２のネットワークを介して、当該メッセージを前記第２のサーバーに転送する。
【発明の効果】
【００１８】
本発明によれば、移動体端末とインターネット間の通信において、移動体通信システムのコアネットワークにおける通信負荷を低減させることができる。
【図面の簡単な説明】
【００１９】
【図１】本発明の一実施形態に係る通信制御システムの構成の一例を示すブロック図である。
【図２】本発明の一実施形態に係るフェムトセル基地局の構成の一例を示すブロック図である。
【図３】本発明の一実施形態に係る通信制御システムの方式１について説明する概略図である。
【図４】本発明の一実施形態に係る通信制御システムの方式２について説明する概略図である。
【図５】本発明の一実施形態に係る通信制御システムの方式１におけるＩＰ通信の処理フローの一例を説明するためのフローチャートである。
【図６】本発明の一実施形態に係る通信制御システムの方式２におけるＩＰ通信の処理フローの一例を説明するためのフローチャートである。
【図７】本発明の一実施形態に係る通信制御システムの方式２において利用されるデータの構成を説明するための参考図である。
【図８】本発明の一実施形態に係る通信制御システムの方式１における公式サイトへのアクセスを説明するためのシーケンス図である。
【図９】本発明の一実施形態に係る通信制御システムの方式１における勝手サイトへのアクセスを説明するためのシーケンス図である。
【図１０】本発明の一実施形態に係る通信制御システムの方式２における公式サイトへのアクセスを説明するためのシーケンス図である。
【図１１】本発明の一実施形態に係る通信制御システムの方式２における勝手サイトへのアクセスを説明するためのシーケンス図である。
【図１２】従来例を説明するための概略図である。
【図１３】従来例のフローについて説明するためのシーケンス図である。
【発明を実施するための形態】
【００２０】
図１は、本実施形態に係る通信制御システムの一例を説明するブロック図である。
図１に示す通り、本実施形態に係る通信制御システムは、加入者網１０と、固定ブロードバンド網２０と、移動体通信システムにおけるコアネットワーク３０と、インターネット４０とを含む。
【００２１】
加入者網１０は、フェムトセル基地局１２を介して移動体端末１１と通信を行う加入者側のネットワークであって、例えば、移動体端末１１と、フェムトセル基地局１２と、加入者網終端装置１３とを含む。
【００２２】
移動体端末１１は、フェムトセル基地局１２と無線通信を行い、このフェムトセル基地局１２を介して固定ブロードバンド網２０と接続される加入者側の通信端末である。この移動体端末１１は、コアネットワーク３０を介して端末間でも無線通信を行い、電話通信を確立することができる。ここでは、フェムトセル基地局１２を利用して固定ブロードバンド網２０を介してインターネット４０と接続する移動体端末１１について以下説明する。
【００２３】
また、移動体端末１１は、フェムトセル基地局１２に対してＩＰ通信を要求することにより、インターネット４０への接続に必要なＩＰアドレス（以下、ＩＰアドレスＡという）が、固定ブロードバンド網２０における装置（例えば、ゲートウェイ）によって払い出される。ここでは、ＩＰアドレスＡとして、コアネットワーク３０上において利用できる移動体端末１１のＩＰアドレスをいうが、本発明はこれに限られず、コアネットワーク３０およびインターネット４０の両方において利用できるＩＰアドレスであってもよい。
この移動体端末１１は、自身が内部に備える記憶部にＩＰアドレスＡを記憶する。
【００２４】
フェムトセル基地局１２は、半径数十ｍ程度の極めて小さい通信エリアにある通信端末と無線接続する基地局であって、例えば、通信エリア内にある移動体端末１１とインターネット４０との通信を、加入者網終端装置１３を介して接続する。
このフェムトセル基地局１２は、ルーティングテーブルを備え、このルーティングテーブルを参照して、移動体端末１１からのアクセスに基づき、インターネット４０上にある公式サイトへアクセスするか、あるいは、インターネット４０上にある非公式サイト（以下、勝手サイトという）へアクセスするかを判断する。この判断結果に基づき、フェムトセル基地局１２は、コアネットワーク３０を経由して加入者網終端装置１３に公式サイトへのメッセージを転送し、あるいは、固定ブロードバンド網２０を経由して加入者網終端装置１３に勝手サイトへのメッセージを転送する。
【００２５】
このルーティングテーブルは、以下に説明する方式１において、インターネット４０上で利用できる公式サイトの実際のＩＰアドレス（例えば、２０．２．０．１、２０．２．０．２・・・）を第１のＩＰアドレスＸ１として第１のインターフェース１３１（例えば、ｅｔｈ１）に対応づけるとともに、デフォルトルート（図に示す０．０．０．０）を第２のＩＰアドレスＸ２として第２のインターフェース１３２（例えば、ｅｔｈ０）に対応づける。なお、実際のＩＰアドレスとは、インターネット４０上において利用できるＩＰアドレスのことをいう。
【００２６】
また、このルーティングテーブルは、以下に説明する方式２において、複数のＩＰアドレスを集約するＩＰアドレスのグループ（以下、ＩＰアドレスＸＡという）を第１のＩＰアドレスＸ１として第１のインターフェース１３１に対応付ける。
この集約されたＩＰアドレスＸＡとは、インターネット４０に含まれるサーバーに向けて送信されるメッセージの送信先を表わすＩＰアドレスが複数ある場合、この複数のＩＰアドレスの数よりも少ない数に、この複数のＩＰアドレスを集約するＩＰアドレスグループのことをいう。
【００２７】
具体的に説明すると、インターネット４０に含まれる複数のサーバーにそれぞれ割り当てられている複数のＩＰアドレス（以下、ＩＰアドレスＤという）（例えば、２０．２．０．１、２０．２．０．２・・・）がある場合、集約されたＩＰアドレスＸＡは、これら複数のＩＰアドレス（２０．２．０．１、２０．２．０．２・・・）のそれぞれに対応しており、コアネットワーク３０上において利用できる複数のＩＰアドレス（以下、ＩＰアドレスＣという）（例えば、１０．２．０．１、１０．２．０．２・・・）を含む。この複数のＩＰアドレスＣ（１０．２．０．１、１０．２．０．２・・・）は、例えば、１行で表わされるＩＰアドレスＸＡ（例えば、１０．２．０．１／１６）に集約されている。
【００２８】
また、フェムトセル基地局１２は、ＮＡＴ（ Ｎｅｔｗｏｒｋ Ａｄｄｒｅｓｓ Ｔｒａｎｓｌａｔｉｏｎ ）テーブルを備え、このＮＡＴテーブルを参照して、コアネットワーク３０において利用できる移動体端末１１のＩＰアドレスＡを、固定ブロードバンド網２０において利用できる移動体端末１１のＩＰアドレス（以下、ＩＰアドレスＢという）に変換する。
この、ＮＡＴテーブルは、コアネットワーク３０において利用できる移動体端末１１のＩＰアドレスＡ（１０．１．０．１）に、固定ブロードバンド網２０において利用できる移動体端末１１のＩＰアドレスＢ（例えば、１９２．１６８．１．１１）を対応付ける。
【００２９】
加入者網終端装置１３は、例えばＢＢＲ（ ｂｒｏａｄ ｂａｎｄ ｒｏｕｔｅｒ ）等の加入者側に設置されるホームゲートウェイであって、固定ブロードバンド網２０およびコアネットワーク３０を介してインターネット４０上における公式サイトと移動体端末１１とを接続する第１のインターフェース１３１と、固定ブロードバンド網２０を介してインターネット４０上における勝手サイトと移動体端末１１とを接続する第２のインターフェース１３２とを備える。
【００３０】
固定ブロードバンド網２０は、例えば固定電話会社が提供するブロードバンド網であって、インターネット４０上でサイトを提供するサーバーと加入者網終端装置１３とを接続するネットワークである。この固定ブロードバンド網２０は、加入者網終端装置１３の第１のインターフェース１３１とコアネットワーク３０とを接続するとともに、加入者網終端装置１３の第２のインターフェース１３２とインターネット４０とを接続する。
【００３１】
コアネットワーク３０は、例えば携帯電話会社が提供するネットワークであって、インターネット４０上でサイトを提供するサーバーと加入者網終端装置１３とを接続するネットワークである。このコアネットワーク３０は、固定網間ゲートウェイ３１と、ＤＮＳ（ Ｄｏｍａｉｎ Ｎａｍｅ Ｓｙｓｔｅｍ ）サーバー３２と、外部ＩＰ網間ゲートウェイ３３とを含む。
【００３２】
また、コアネットワーク３０は、例えば、公式サイトにアクセスするユーザのユーザ認証を行うユーザ認証処理や、公式サイトにアクセスするユーザへの課金処理を行う。
【００３３】
このユーザ認証処理とは、例えば、コアネットワーク３０の外部ＩＰ網間ゲートウェイ３３によって、公式サイトにアクセス可能なユーザ（例えば、移動体端末１１）からのアクセスであることを認証する処理をいう。具体的には、外部ＩＰ網間ゲートウェイ３３が、予め公式サイトのサーバーに登録されている移動体端末１１からのアクセスであるか否かを判断し、あるいは、当該登録されている移動体端末１１からのアクセスが公式サイトによって受け付け可能とされる有効なユーザの移動体端末１１からのアクセスであるか否かを判断する。この判断結果において、公式サイトにアクセス可能な移動体端末１１からのアクセスであることを判断した場合、外部ＩＰ網間ゲートウェイ３３は、当該移動体端末１１を認証し、当該移動体端末１１から受信したメッセージを公式サイトを提供するサーバーに転送する。
【００３４】
また、課金処理とは、例えば、有料の公式サイトへの移動体端末１１からのアクセスに対して、コアネットワーク３０の外部ＩＰ網間ゲートウェイ３３が、料金の支払いを受け付ける処理をいう。具体的には、外部ＩＰ網間ゲートウェイ３３が、当該移動体端末１１からのアクセスが公式サイトに課金される料金の支払いが可能なユーザからのアクセスであるか否かを判断する。この判断結果において、当該移動体端末１１からのアクセスが公式サイトに課金される料金の支払いが可能なユーザからのアクセスであることが判断された場合、外部ＩＰ網間ゲートウェイ３３は、当該ユーザからの料金の支払いを受け付ける処理を行い、当該移動体端末１１から受信したメッセージを公式サイトを提供するサーバーに転送する。
【００３５】
固定網間ゲートウェイ３１は、例えば、フェムトセルＧＷであって、加入者網終端装置１３とＤＮＳサーバー３２とを接続するゲートウェイである。
【００３６】
ＤＮＳサーバー３２は、ドメイン名にＩＰアドレスを対応づける情報を参照して名前解決する機能を有し、ドメイン名として、例えばインターネット４０上にあるサイトのＵＲＬ（ Ｕｎｉｆｏｒｍ Ｒｅｓｏｕｒｃｅ Ｌｏｃａｔｏｒ ）を、移動体端末１１から受信した場合、このサイトのＵＲＬに対応付けられているＩＰアドレスを移動体端末１１に送信する。
ここで、以下に説明する方式１の場合、ＤＮＳサーバー３２は、インターネット４０上において利用できる実際のＩＰアドレスＤ（例えば、２０．２．０．１）とドメイン名（例えば、www.official.com）とを対応付けた情報を備え、この情報を参照することによって、ＩＰアドレスＤを移動体端末１１に送信する。
一方、以下に説明する方式２の場合、ＤＮＳサーバー３２は、コアネットワーク３０上において利用できるＩＰアドレスＣ（例えば、１０．２．０．１）とドメイン名（例えば、www.unofficial.com）とを対応付けた情報を備え、この情報を参照することによって、ＩＰアドレスＣを移動体端末１１に送信する。
【００３７】
外部ＩＰ網間ゲートウェイ３３は、例えば、ＧＧＳＮ（ Ｇａｔｅｗａｙ ＧＰＲＳ Ｓｕｐｐｏｒｔ Ｎｏｄｅ ）等であって、インターネット４０上のサイトを提供するサーバーとＤＮＳサーバー３２とを接続するゲートウェイである。
【００３８】
また、以下に説明する方式２において、この外部ＩＰ網間ゲートウェイ３３は、ＩＰアドレスＸＡで集約されているコアネットワーク３０上のＩＰアドレスＣ（例えば、１０．２．０．１、１０．２．０．２・・・）に、インターネット４０上のＩＰアドレスＤ（例えば、２０．２．０．１、２０．２．０．２・・・）を対応づけるＮＡＴテーブルを備える。
方式２において、外部ＩＰ網間ゲートウェイ３３は、このＮＡＴテーブルを参照して、移動体端末１１から受信したメッセージの送信先ＩＰアドレスを、ＩＰアドレスＣからＩＰアドレスＤに変換して、インターネット４０上のサーバーに転送する。また、外部ＩＰ網間ゲートウェイ３３は、インターネット４０上のサーバーから受信したメッセージの送信元ＩＰアドレスを、ＩＰアドレスＤからＩＰアドレスＣに変換して、移動体端末１１に転送する。
【００３９】
また、外部ＩＰ網間ゲートウェイ３３は、自身に対して予め割り振られているインターネット４０において利用できるＩＰアドレス（以下、ＩＰアドレスＥという）（例えば、５０．１．０．１）を、自身が内部に備える記憶部に記憶している。
この外部ＩＰ網間ゲートウェイ３３は、移動体端末１１からメッセージを受信すると、このメッセージの送信元ＩＰアドレスとして記述されているＩＰアドレスＡ（１０．１．０．１）を自身が内部に備える記憶部に一次的に保存しておき、このコアネットワーク３０上において利用できるＩＰアドレスＡに、インターネット４０上において利用できるＩＰアドレスＥを対応づけるＮＡＴテーブルを作成する。
【００４０】
具体的に説明すると、外部ＩＰ網間ゲートウェイ３３は、移動体端末１１とインターネット４０との通信において、このＮＡＴテーブルを参照し、移動体端末１１から受信したメッセージの送信元ＩＰアドレスを、ＩＰアドレスＡからＩＰアドレスＥに変換して、インターネット４０上のサーバーに転送する。また、外部ＩＰ網間ゲートウェイ３３は、インターネット４０上のサーバーから受信したメッセージの送信先ＩＰアドレスを、ＩＰアドレスＥからＩＰアドレスＡに変換して、移動体端末１１に転送する。
なお、移動体端末１１に対して、コアネットワーク３０およびインターネット４０の双方において利用できるＩＰアドレスＡが割り当てられている場合、外部ＩＰ網間ゲートウェイ３３は、このＮＡＴテーブルを参照して変換することなく、ＩＰアドレスＡを用いてメッセージの転送をすることができる。
【００４１】
インターネット４０は、例えば、インターネット４０上で公式サイトを提供する第１のサーバー４１と、インターネット４０上で勝手サイトを提供する第２のサーバー４２とを含む。
【００４２】
第１のサーバー４１は、公式サイトのウェブページの情報（例えば、ＩＰアドレスやｐｏｒｔ番号あるいはウェブページの画像データ）を記憶する記憶部を備え、公式サイトのＵＲＬにアクセスする移動体端末１１に対して、公式サイトのウェブページの情報を送信する。
この公式サイトには、例えば、当該ウェブサイトのＵＲＬ（例えば、http://www.official.com/）が予め決められており、このＵＲＬにはインターネット４０上で利用可能なＩＰアドレス（例えば、２０．２．０．１）が割り当てられているものとする。
【００４３】
第２のサーバー４２は、勝手サイトのウェブページの情報（例えば、ＩＰアドレスやｐｏｒｔ番号あるいはウェブページの画像データ）を記憶する記憶部を備え、勝手サイトのＵＲＬにアクセスする移動体端末１１に対して、勝手サイトのウェブページの情報を送信する。
この勝手サイトには、例えば、当該ウェブサイトのＵＲＬ（例えば、http://www.unofficial.com/）が予め決められており、このＵＲＬにはインターネット４０上で利用可能なＩＰアドレス（例えば、２３４．２０．２．１３３）が割り当てられている。
【００４４】
次に、図２を参照して、フェムトセル基地局１２の構成についてより詳細に説明する。図２は、フェムトセル基地局１２の構成の一例を示すブロック図である。
図２に示す通り、フェムトセル基地局１２は、無線部１２１と、一次記憶部１２２と、記憶部１２３と、制御部１２４と、通信モジュール１２５とを含む。
【００４５】
無線部１２１は、移動体端末１１と無線通信し、移動体端末１１からメッセージを受信する。
一次記憶部１２２は、例えば、移動体端末１１から受信したメッセージを一次的に記憶する。
記憶部１２３は、ルーティングテーブルとＮＡＴテーブルとを記憶する。
【００４６】
制御部１２４は、フェムトセル基地局１２を統括的に制御し、例えば、移動体端末１１から受信したメッセージのルーティングを行う。この制御部１２４は、記憶部１２３に記憶されているルーティングテーブルを参照して、移動体端末１１から受信したメッセージを第１のインターフェース１３１に転送するか、あるいは、第２のインターフェース１３２に転送するか否かを判断するとともに、この判断結果に基づき受信したメッセージのルーティングを行う。
【００４７】
通信モジュール１２５は、制御部１２４から出力されたメッセージをＩＰ通信で加入者網終端装置１３に送信し、制御部１２４のルーティングに基づき、加入者網終端装置１３の第１のインターフェース１３１あるいは第２のインターフェース１３２にメッセージを転送する。
【００４８】
次に、図３を参照して、本実施形態に係る通信制御システムにおける方式１について説明する。
図３に示す通り、方式１では、フェムトセル基地局１２が、ルーティングテーブルを参照して、公式サイトに対してアクセスを要求する移動体端末１１と第１のサーバー４１と間の通信をコアネットワーク３０を介して接続するとともに、勝手サイトに対してアクセスを要求する移動体端末１１と第２のサーバー４２と間の通信をコアネットワーク３０を介さず固定ブロードバンド網２０を介して接続するものである。
【００４９】
これにより、勝手サイトに対するアクセスにおいては、コアネットワーク３０を介さずに、固定ブロードバンド網２０を介した移動体端末１１と第２のサーバー４２との通信を確立することができ、勝手サイトに対するアクセスの分のコアネットワーク３０におけるトラフィックを低減させることができる。よって、コアネットワーク３０における通信負荷を低減させることができる。
【００５０】
一方、方式１と異なる方式２について、図４を参照して説明する。
図４に示す通り、方式２では、方式１が備える構成に加えて、フェムトセル基地局１２が備えるルーティングテーブルにおいて、第１のインターフェース１３１に対応付けられている第１のＩＰアドレスＸ１として、集約されているＩＰアドレスＸＡ（２０．２．０．０／１６）を第１のインターフェース１３１に対応付けるものである。
【００５１】
具体的に説明すると、方式２において、フェムトセル基地局１２に搭載されるルーティングテーブルは、図５（ａ）に示す通り、送信先のＩＰアドレスに転送インターフェースを対応付ける。例えば、このルーティングテーブルは、送信先のＩＰアドレスであるデフォルトルート（図に示す、０．０．０．０）に、転送インターフェースである第２のインターフェース１３２（ｅｔｈ０）を対応付ける。また、このルーティングテーブルは、送信先のＩＰアドレスＣを集約したＩＰアドレスＸＡ（１０．２．０．０／１６）に、転送インターフェースである第１のインターフェース１３１（ｅｔｈ１）を対応付ける。
【００５２】
なお、このルーティングテーブルは、フェムトセル基地局１２の出荷時や製造時、あるいは初期設定時において、手動でフェムトセル基地局１２の記憶部１２３に記憶されるものであってもよい。また、初回の起動時において、制御部１２４が自動で固定ブロードバンド網２０の固定網間ゲートウェイ３１あるいは外部ＩＰ網間ゲートウェイ３３にアクセスして、このルーティングテーブルを取得する構成であってもよい。また、フェムトセル基地局１２は、ルーティングテーブルが変更された場合も同様にして変更後のルーティングテーブルを取得することができる。
【００５３】
また、方式２において、外部ＩＰ網間ゲートウェイ３３に、この集約されたＩＰアドレスＸＡ（２０．２．０．０／１６）に含まれるＩＰアドレスＣに、インターネット４０上で利用可能なＩＰアドレスＤを対応付けるＮＡＴテーブルを実装するものである。
具体的に説明すると、この外部ＩＰ網間ゲートウェイ３３に搭載されるＮＡＴテーブルは、例えば、図５（ｂ）に示す通り、ＮＡＴされた公式サイトのＩＰアドレス（ここでは、ＩＰアドレスＣ）と、ＮＡＴされた公式サイトのｐｏｒｔ番号と、実際の公式サイトのＩＰアドレス（ここでは、ＩＰアドレスＤ）と、実際の公式サイトのｐｏｒｔ番号とを、それぞれ対応付ける。
【００５４】
上述の通り、方式２では、複数のＩＰアドレスＣ（例えば、１０．２．０．１、１０．２．０．２・・・）を、これら複数のＩＰアドレスＣの数よりも少ない数（例えば、１つ）のＩＰアドレスＸＡ（例えば、１０．２．０．１／１６）に集約しており、この集約されたＩＰアドレスＸＡを、フェムトセル基地局１２のルーティングテーブルに設定する。これにより、ルーティングテーブルが保持する情報量を低減させることができる。
よって、サービス性（低遅延）と運用性（更新・設定変更）を確保しつつ、コアネットワーク３０のトラヒックを低減することができる。
【００５５】
また、方式１および２において、フェムトセル基地局１２に搭載されるＮＡＴテーブルは、例えば、図５（ｃ）に示す通り、インターネット４０上で利用できる実際の送信元ＩＰアドレス（ここでは、移動体端末１１のＩＰアドレスＡ）と、インターネット４０上で利用できる実際の送信元のｐｏｒｔ番号と、インターネット４０上で利用できる実際の送信先のＩＰアドレス（ここでは、実際の勝手サイトのＩＰアドレス）と、インターネット４０上で利用できる送信先のｐｏｒｔ番号と、固定ブロードバンド網２０で利用できるＮＡＴ  ＩＰアドレス（ここでは、ＩＰアドレスＢ）と、固定ブロードバンド網２０で利用できるＮＡＴ  ｐｏｒｔ番号とを、それぞれ対応付ける。
なお、このＩＰアドレスＢは、フェムトセル基地局１２が起動した際に、加入者網終端装置１３が固定ブロードバンド網２０を介して第２のサーバー４２と通信することによりフェムトセル基地局１２に払い出される。
【００５６】
次に、図６を参照して、本実施形態に係る通信制御システムの方式１における処理フローの一例について説明する。図６は、本実施形態に係る通信制御システムの方式１におけるＩＰ通信の処理フローの一例を説明するためのフローチャートである。
図６に示す通り、移動体端末１１からＩＰ通信の開始を要求するメッセージがフェムトセル基地局１２に送信されると、フェムトセル基地局１２は、固定ブロードバンド網２０を介してコアネットワーク３０における装置とＩＰ通信を開始する（ステップＳＴ１）。これにより、例えば、移動体端末１１とコアネットワーク３０における装置との間の無線通信による仮想的コネクション（無線ベアラ）が確立される。
【００５７】
このとき、移動体端末１１は、インターネット４０に対するアクセスに必要な設定情報（例えば、ＩＰアドレス）の取得を要求するメッセージを外部ＩＰ網間ゲートウェイ３３に送信する。この外部ＩＰ網間ゲートウェイ３３は、移動体端末１１がインターネット４０上で利用できるＩＰアドレスＡを払い出し、移動体端末１１に送信する。
【００５８】
次いで、移動体端末１１からアクセス先の名前解決を要求するメッセージがフェムトセル基地局１２を介してＤＮＳサーバー３２に転送される。そして、ＤＮＳサーバー３２は、このメッセージを受信して、メッセージに含まれるＵＲＬの名前解決を行い、このＵＲＬに対応するＩＰアドレスを移動体端末１１に送信する（ステップＳＴ２）。
【００５９】
つまり、方式１では、ＤＮＳサーバー３２が、名前解決により、当該ＵＲＬのサイトに対して割り当てられている実際のＩＰアドレスＤ（例えば、２０．２．０．１）を得て、固定網間ゲートウェイ３１を介して移動体端末１１に送信する。
【００６０】
そして、移動体端末１１は、固定ブロードバンド網２０の固定網間ゲートウェイ３１から受信したＩＰアドレスＤ（２０．２．０．１）に対するアクセスを要求するメッセージをフェムトセル基地局１２に送信する。
このフェムトセル基地局１２は、受信したメッセージに含まれる送信先のＩＰアドレスＤ（２０．２．０．１）に基づき、記憶部１２３内のルーティングテーブルを参照して、第１のインターフェース１３１に対応付けられている第１のＩＰアドレスＸ１（例えば、２０．２．０．１、２０．２．０．２・・・）に、送信先のＩＰアドレスＤ（２０．２．０．１）と一致するＩＰアドレスが含まれているか否かを判断する（ステップＳＴ３）。
【００６１】
ここで、送信先のＩＰアドレスＤ（２０．２．０．１）が、ルーティングテーブルに記述されている第１のインターフェース１３１に対応付けられている第１のＩＰアドレスＸ１に含まれるＩＰアドレスと一致する場合、フェムトセル基地局１２の制御部１２４は、加入者網終端装置１３に対して、第１のＩＰアドレスＸ１に対応付けられている第１のインターフェース１３１を介して、移動体端末１１から受信したメッセージをコアネットワーク３０に向けて転送させる（ステップＳＴ４）。
【００６２】
この加入者網終端装置１３は、フェムトセル基地局１２から受信したメッセージを、第１のインターフェース１３１から送出し、コアネットワーク３０を介して第１のサーバー４１に転送する。
これにより、移動体端末１１は、ＩＰアドレスＤ（２０．２．０．１）で特定される公式サイトを提供する第１のサーバー４１とＩＰ通信を行う（ステップＳＴ５）。
【００６３】
一方、ステップＳＴ３において、送信先ＩＰアドレス（例えば、２３４．２０．２．１３３）が、ルーティングテーブルに記述されている第１のインターフェース１３１に対応付けられている第１のＩＰアドレスＸ１に含まれるＩＰアドレスと一致しない場合、フェムトセル基地局１２の制御部１２４は、加入者網終端装置１３に対して、第２のＩＰアドレスＸ２（デフォルトルート）に対応付けられている第２のインターフェース１３２を介して、移動体端末１１から受信したメッセージを固定ブロードバンド網２０に向けて転送させる（ステップＳＴ６）。
【００６４】
なお、フェムトセル基地局１２の制御部１２４は、加入者網終端装置１３に対して第２のインターフェース１３２を介して固定ブロードバンド網２０にメッセージを送信させる際、記憶部１２３に記憶されているＮＡＴテーブルを参照して、メッセージに含まれる送信元ＩＰアドレスを、移動体端末１１のＩＰアドレスＡ（１０．１．０．１）から固定ブロードバンド網２０において利用できるＩＰアドレスＢ（１９２．１６８．１．１１）に変換する（ステップＳＴ７）。
【００６５】
そして、フェムトセル基地局１２は、加入者網終端装置１３に対して、デフォルトルートに対応付けられている第２のインターフェース１３２を介して、移動体端末１１から受信したメッセージを固定網間ゲートウェイ３１に転送させる。この固定網間ゲートウェイ３１は、受信したメッセージを外部ＩＰ網間ゲートウェイ３３に転送し、外部ＩＰ網間ゲートウェイ３３が、メッセージに含まれているＩＰアドレス（２３４．２０．２．１３３）で特定される勝手サイトの第２のサーバー４２とＩＰ通信を行う（ステップＳＴ８）。
【００６６】
次に、図７を参照して、本実施形態に係る通信制御システムの方式２における処理フローの一例について説明する。図７は、本実施形態に係る通信制御システムの方式２におけるＩＰ通信の処理フローの一例を説明するためのフローチャートである。
なお、図６に示す処理と同様の処理については、同一の符号を付して、詳細な説明は省略する。
【００６７】
図７に示す通り、フェムトセル基地局１２によって、固定ブロードバンド網２０を介してコアネットワーク３０における装置とＩＰ通信が開始されると（ステップＳＴ１）、移動体端末１１からアクセス先の名前解決を要求するメッセージがフェムトセル基地局１２を介してＤＮＳサーバー３２に送信される。
ＤＮＳサーバー３２は、このメッセージを受信して、メッセージに含まれるＵＲＬの名前解決を行い、当該ＵＲＬのサイトに対して割り当てられているコアネットワーク３０上で利用できるＩＰアドレスＣ（例えば、１０．２．０．１）を得て、固定網間ゲートウェイ３１を介して移動体端末１１に送信する。
【００６８】
そして、ＩＰアドレスＣ（１０．２．０．１）に対してアクセスを要求するメッセージを移動体端末１１から受信すると、フェムトセル基地局１２は、このＩＰアドレスＣ（１０．２．０．１）に基づき、記憶部１２３内のルーティングテーブルを参照して、第１のインターフェース１３１に対応付けられている第１のＩＰアドレスＸ１（１０．２．０．０／１６）に集約されているＩＰアドレスと、送信先のＩＰアドレスＣ（１０．２．０．１）とが一致するか否かを判断する（ステップＳＴ３）。言い換えると、フェムトセル基地局１２は、ＩＰアドレスＣ（１０．２．０．１）が第１のＩＰアドレスＸ１（１０．２．０．０／１６）に含まれているか否かを判断する。
【００６９】
ここで、送信先のＩＰアドレスＣ（１０．２．０．１）が、ルーティングテーブルにおいて第１のインターフェース１３１に対応付けられている第１のＩＰアドレスＸ１（１０．２．０．０／１６）に含まれているＩＰアドレスに一致する場合、フェムトセル基地局１２の制御部１２４は、加入者網終端装置１３に対して、第１のＩＰアドレスＸ１に対応付けられている第１のインターフェース１３１を介して、移動体端末１１から受信したメッセージをコアネットワーク３０に向けて転送させる（ステップＳＴ４）。
【００７０】
そして、加入者網終端装置１３が、フェムトセル基地局１２から受信したメッセージを、第１のインターフェース１３１から送出し、コアネットワーク３０を介して第１のサーバー４１に転送する。
【００７１】
具体的に説明すると、加入者網終端装置１３の第１のインターフェース１３１から送出されたメッセージが、固定ブロードバンド網２０を介してコアネットワーク３０の固定網間ゲートウェイ３１に転送される。この固定網間ゲートウェイ３１は、受信したメッセージを外部ＩＰ網間ゲートウェイ３３に転送する。
次いで、外部ＩＰ網間ゲートウェイ３３は、ＮＡＴテーブルを参照して、移動体端末１１から送信されたメッセージに含まれる送信先ＩＰアドレスＣ（１０．２．０．１）を、当該ＵＲＬのサイトに対して割り当てられている実際のＩＰアドレスＤ（例えば、２０．２．０．１）に変換する（ステップＳＴ９）。
【００７２】
これにより、移動体端末１１は、書き換えられたＩＰアドレスＤ（２０．２．０．１）で特定される公式サイトを提供する第１のサーバー４１とＩＰ通信を行う（ステップＳＴ５）。
【００７３】
一方、ステップＳＴ３において、送信先ＩＰアドレス（２３４．２０．２．１３３）が、ルーティングテーブルに記述されている第１のインターフェース１３１に対応付けられている第１のＩＰアドレスＸ１（１０．２．０．０／１６）に集約されているＩＰアドレスに一致しない場合、図６に示したステップ６〜８と同様の処理を行う。
【００７４】
次に、図８を参照して、図４を用いて上述した方式１における公式サイトへのアクセスのシーケンスの一例について説明する。図８は、方式１における公式サイトへのアクセスのシーケンス図である。なお、ここでは、移動体端末１１とコアネットワーク３０との無線ベアラは既に確立しているものとして、以下説明する。
【００７５】
図８に示す通り、移動体端末１１からＡｃｔｉｖｅ ＰＤＰ Ｃｏｎｔｅｘｔ ｒｅｑｕｅｓｔのメッセージがフェムトセル基地局１２に送信されると、フェムトセル基地局１２は、加入者網終端装置１３を介して、外部ＩＰ網間ゲートウェイ３３にこのメッセージを転送する（ステップＳＴ１１）。この外部ＩＰ網間ゲートウェイ３３は、当該移動体端末１１に対してインターネット４０で利用可能なＩＰアドレスＡ（例えば、１０．１．０．１）を割り振り、Ａｃｔｉｖｅ ＰＤＰ Ｃｏｎｔｅｘｔ Ａｃｃｅｐｔ（ＰＤＰ Ａｄｄｒｅｓｓ＝１０．１．０．１）のメッセージを移動体端末１１に送信する（ステップＳＴ１２）。
【００７６】
この移動体端末１１は、外部ＩＰ網間ゲートウェイ３３からＩＰアドレスＡ（１０．１．０．１）を含むメッセージを受信すると、自身に割り振られたＩＰアドレスＡ（１０．１．０．１）を自身の内部に備える記憶部に記憶させる。
【００７７】
ここで、移動体端末１１の操作部等を介して、指定されたＵＲＬ（例えば、http://www.official.com/）で特定される公式サイトへのアクセスがユーザから要求されると、移動体端末１１は、ＩＰアドレスＡ（１０．１．０．１）を送信元のＩＰアドレスとして、ＤＮＳサーバー３２に対して予め割り振られているＩＰアドレス（例えば、１０．０．２．１０）を送信先のＩＰアドレスとして含むＤＮＳ（ Ｓｔａｎｄａｒｄ ｑｕｅｒｙ Ａ www.official.com ）のメッセージを、フェムトセル基地局１２に送信する。このフェムトセル基地局１２は、受信したメッセージを、加入者網終端装置１３を介して、ＤＮＳサーバー３２に転送する（ステップＳＴ１３）。
【００７８】
ＤＮＳサーバー３２は、移動体端末１１からメッセージを受信すると、名前解決機能を実行し、公式サイトのＵＲＬ（http://www.official.com/）に対応付けられている実際のＩＰアドレスＤ（例えば、２０．２．０．１）を得て、ＤＮＳ（ Ｓｔａｎｄａｒｄ ｑｕｅｒｙ ｒｅｓｐｏｎｃｅ Ａ ２０．２．０．１ ）のメッセージを、加入者網終端装置１３およびフェムトセル基地局１２を介して、移動体端末１１に送信する（ステップＳＴ１４）。
【００７９】
これにより、移動体端末１１は、自身に割り振られたＩＰアドレスＡ（１０．１．０．１）を送信元ＩＰアドレスとして、ＤＮＳサーバー３２によって名前解決された実際のＩＰアドレスＤ（２０．２．０．１）を送信先ＩＰアドレスとして含むＴＣＰ［ＳＹＮ］のメッセージをフェムトセル基地局１２に送信する（ステップＳＴ１５）。
【００８０】
このフェムトセル基地局１２は、ルーティングテーブルを参照して、受信したメッセージに含まれる送信先ＩＰアドレス（２０．２．０．１）が、第１のＩＰアドレスＸ１に含まれるＩＰアドレスに一致するか否かを判断する（ステップＳＴ１６）。ここで、ルーティングテーブルには、第１のＩＰアドレスＸ１に含まれるＩＰアドレスとして、ＩＰアドレス（２０．２．０．１）が予め記述されている。
従って、送信先ＩＰアドレス（２０．２．０．１）が、第１のＩＰアドレスＸ１に含まれるＩＰアドレスに一致するため、フェムトセル基地局１２は、受信したメッセージに送信先ＩＰアドレス（２０．２．０．１）を記述して、加入者網終端装置１３の第１のインターフェース１３１から、固定ブロードバンド網２０を介して第１のサーバー４１に送信させる（ステップＳＴ１７）。
【００８１】
この第１のサーバー４１は、受信したメッセージに基づき、ＴＣＰ［ＳＹＮ、ＡＣＫ］のメッセージを移動体端末１１に送信する（ステップＳＴ１８）。
次いで、移動体端末１１は、ＴＣＰ［ＡＣＫ］のメッセージを第１のサーバー４１に送信するとともに（ステップＳＴ１９）、ＧＥＴ／ＨＴＴＰ／１．１のメッセージを第１のサーバー４１に送信する（ステップＳＴ２０）。この第１のサーバー４１は、ＴＣＰのメッセージを移動体端末１１に送信するとともに（ステップＳＴ２１）、ＨＴＴＰ ２００ ＯＫのメッセージを移動体端末１１に送信する（ステップＳＴ２２）。
【００８２】
これにより、移動体端末１１は、インターネット４０上において第１のサーバー４１が提供する公式サイト（ＩＰアドレス：２０．２．０．１）に対して接続される。
【００８３】
次に、図９を参照して、方式１における勝手サイトへのアクセスのシーケンスの一例について説明する。図９は、方式１における勝手サイトへのアクセスのシーケンス図である。なお、ここでは、移動体端末１１とコアネットワーク３０との無線ベアラは既に確立しているものとして、以下説明する。また、図８において説明した処理と同様の処理については、詳細な説明を省略する。
【００８４】
図９に示す通り、移動体端末１１からＡｃｔｉｖｅ ＰＤＰ Ｃｏｎｔｅｘｔ ｒｅｑｕｅｓｔのメッセージが、外部ＩＰ網間ゲートウェイ３３に送信されると（ステップＳＴ３１）、Ａｃｔｉｖｅ ＰＤＰ Ｃｏｎｔｅｘｔ Ａｃｃｅｐｔ（ＰＤＰ Ａｄｄｒｅｓｓ＝１０．１．０．１）のメッセージが、外部ＩＰ網間ゲートウェイ３３から移動体端末１１に送信される（ステップＳＴ３２）。
【００８５】
ここで、移動体端末１１の操作部等を介して、指定されたＵＲＬ（例えば、http://www.unofficial.com/）で特定される勝手サイトへのアクセスがユーザから要求されると、移動体端末１１は、自身に割り振られたＩＰアドレスＡ（１０．１．０．１）を送信元ＩＰアドレスとして、ＤＮＳサーバー３２に対して予め割り振られたＩＰアドレス（１０．０．２．１０）を送信先ＩＰアドレスとして含むＤＮＳ（ Ｓｔａｎｄａｒｄ ｑｕｅｒｙ Ａ www.unofficial.com ）のメッセージを、フェムトセル基地局１２および加入者網終端装置１３を介して、ＤＮＳサーバー３２に送信する（ステップＳＴ３３）。
【００８６】
ＤＮＳサーバー３２は、移動体端末１１からメッセージを受信すると、名前解決機能を実行し、勝手サイトのＵＲＬ（http://www.unofficial.com/）に対応付けられている実際のＩＰアドレス（２３４．２０．２．１３３）を得て、ＤＮＳ（ Ｓｔａｎｄａｒｄ ｑｕｅｒｙ ｒｅｓｐｏｎｃｅ Ａ ２３４．２０．２．１３３ ）のメッセージを、移動体端末１１に送信する（ステップＳＴ３４）。
【００８７】
これにより、移動体端末１１は、自身に割り振られたＩＰアドレスＡ（１０．１．０．１）を送信元ＩＰアドレスとして、ＤＮＳサーバー３２によって名前解決された実際のＩＰアドレス（２３４．２０．２．１３３）を送信先ＩＰアドレスとして含むＴＣＰ［ＳＹＮ］のメッセージをフェムトセル基地局１２に送信する（ステップＳＴ３５）。
【００８８】
このフェムトセル基地局１２は、ルーティングテーブルを参照して、受信したメッセージに含まれる送信先ＩＰアドレス（２３４．２０．２．１３３）が、第１のＩＰアドレスＸ１に含まれるＩＰアドレスと一致するか否かを判断する（ステップＳＴ３６）。ここで、ルーティングテーブルには、第１のＩＰアドレスＸ１として、ＩＰアドレス（２０．２．０．１、２０．２．０．２・・・）が予め記述されている。
つまり、送信先ＩＰアドレス（２３４．２０．２．１３３）は、第１のＩＰアドレスＸ１（２０．２．０．１、２０．２．０．２・・・）に含まれるＩＰアドレスと一致しないため、フェムトセル基地局１２は、送信元ＩＰアドレスＡ（１０．１．０．１）（つまり、コアネットワーク３０で利用可能なＩＰアドレス）を、送信元ＩＰアドレスＢ（１９２．１６８．１．１１）（つまり、固定ブロードバンド網２０で利用可能なＩＰアドレス）に変換する（ステップＳＴ３７）。このＩＰアドレスＢ（１９２．１６８．１．１１）は、固定ブロードバンド網２０に含まれる加入者網終端装置１３の配下で利用可能なＩＰアドレスである。
【００８９】
そして、フェムトセル基地局１２は、変換されたＩＰアドレスＢ（１９２．１６８．１．１１）を送信元ＩＰアドレスとして、ＤＮＳサーバー３２によって名前解決された実際のＩＰアドレス（２３４．２０．２．１３３）を送信先ＩＰアドレスとして含むＴＣＰ［ＳＹＮ］のメッセージを、加入者網終端装置１３の第２のインターフェース１３２から、固定ブロードバンド網２０を介して第２のサーバー４２に転送させる（ステップＳＴ３８）。
【００９０】
この第２のサーバー４２は、受信したメッセージに基づき、固定ブロードバンド網２０を介して、ＴＣＰ［ＳＹＮ、ＡＣＫ］のメッセージをフェムトセル基地局１２に送信する（ステップＳＴ３９）。このフェムトセル基地局１２は、ＴＣＰ［ＳＹＮ、ＡＣＫ］のメッセージを移動体端末１１に転送する（ステップＳＴ４０）。
【００９１】
そして、移動体端末１１は、ＴＣＰ［ＡＣＫ］のメッセージをフェムトセル基地局１２に送信する（ステップＳＴ４１）。このフェムトセル基地局１２は、固定ブロードバンド網２０を介して、このＴＣＰ［ＡＣＫ］のメッセージを第２のサーバー４２に転送する（ステップＳＴ４２）。
また、移動体端末１１は、ＧＥＴ／ＨＴＴＰ／１．１のメッセージをフェムトセル基地局１２に送信する（ステップＳＴ４３）。このフェムトセル基地局１２は、固定ブロードバンド網２０を介して、このＧＥＴ／ＨＴＴＰ／１．１のメッセージを第２のサーバー４２に転送する（ステップＳＴ４４）。
【００９２】
この第１のサーバー４１は、ＴＣＰ［ＳＹＫ、ＡＣＫ］のメッセージをフェムトセル基地局１２に送信する（ステップＳＴ４５）。このフェムトセル基地局１２は、ＴＣＰ［ＡＣＫ］のメッセージを移動体端末１１に転送する（ステップＳＴ４６）。
また、この第１のサーバー４１は、ＨＴＴＰ ２００ ＯＫのメッセージをフェムトセル基地局１２に送信する（ステップＳＴ４７）。このフェムトセル基地局１２は、ＨＴＴＰ ２００ ＯＫのメッセージを移動体端末１１に転送する（ステップＳＴ４８）。
【００９３】
これにより、移動体端末１１は、インターネット４０上において第２のサーバー４２が提供する勝手サイト（ＩＰアドレス：２３４．２０．２．１３３）と接続される。
【００９４】
上述の通り、本実施形態に係る通信制御システムにおける方式１では、フェムトセル基地局１２がルーティングテーブルを参照して、公式サイトに対してアクセスを要求する移動体端末１１と第１のサーバー４１と間の通信を、コアネットワーク３０を介して接続するとともに、勝手サイトに対してアクセスを要求する移動体端末１１と第２のサーバー４２と間の通信を、コアネットワーク３０を介さず固定ブロードバンド網２０を介して接続するようにした。
これにより、勝手サイトに対するアクセスにおいては、コアネットワーク３０を介さずに、固定ブロードバンド網２０を介した移動体端末１１と第２のサーバー４２との通信を確立することができ、勝手サイトに対するアクセスの分のコアネットワーク３０におけるトラフィックを低減させることができる。よって、コアネットワーク３０における通信負荷を低減させることができる。
【００９５】
また、コアネットワーク３０における公式サイトへのアクセスに対しては、コアネットワーク３０を介した通信を確立することができる。
これにより、ユーザ認証処理や課金処理のためにコアネットワーク３０を経由した第１のサーバー４１へのアクセスが必要な移動体端末１１に対しては、コアネットワーク３０を経由した通信を確立することができる。
【００９６】
さらに、勝手サイトは、公式サイトに比べて、そのサイト数が膨大であるため、フェムトセル基地局１２のルーティングテーブルにおいて、勝手サイト向けの第２のインターフェース１３２に対してデフォルトルートを対応付けている。
これにより、フェムトセル基地局１２のルーティングテーブルが保持する情報量を低減させることができる。
【００９７】
次に、図１０を参照して、方式２における公式サイトへのアクセスのシーケンスの一例について説明する。図１０は、方式２における公式サイトへのアクセスのシーケンス図である。なお、ここでは、移動体端末１１とコアネットワーク３０との無線ベアラは既に確立しているものとして、以下説明する。また、図８において説明した処理と同様の処理については、同一の符号を付して、詳細な説明を省略する。
【００９８】
図１０に示す通り、ステップＳＴ１１〜１３は、図８と同様である。
そして、ステップＳＴ５４において、ＤＮＳサーバー３２は、移動体端末１１からＤＮＳ（ Ｓｔａｎｄａｒｄ ｑｕｅｒｙ Ａ www.official.com ）のメッセージを受信すると、名前解決機能を実行し、公式サイトのＵＲＬ（http://www.official.com/）に対応付けられているＩＰアドレスＣ（１０．２．０．１）を得る。
そして、ＤＮＳサーバー３２は、ＤＮＳ（ Ｓｔａｎｄａｒｄ ｑｕｅｒｙ ｒｅｓｐｏｎｃｅ Ａ １０．２．０．１ ）のメッセージを、移動体端末１１に送信する（ステップＳＴ５４）。
【００９９】
これにより、移動体端末１１は、自身に割り振られたＩＰアドレスＡ（１０．１．０．１）を送信元ＩＰアドレスとして、ＤＮＳサーバー３２によって名前解決されたＩＰアドレスＣ（１０．２．０．１）を送信先ＩＰアドレスとして含むＴＣＰ［ＳＹＮ］のメッセージをフェムトセル基地局１２に送信する（ステップＳＴ５５）。
【０１００】
このフェムトセル基地局１２は、ルーティングテーブルを参照して、受信したメッセージに含まれる送信先ＩＰアドレスＣ（１０．２．０．１）が、第１のＩＰアドレスＸ１（１０．２．０．０／１６）に含まれるＩＰアドレスに一致するか否かを判断する（ステップＳＴ５６）。ここで、ルーティングテーブルには、第１のＩＰアドレスＸ１として、ＩＰアドレス（１０．２．０．０／１６）という集約されたアドレス空間が予め記述されている（図５（ａ）参照）。
従って、送信先ＩＰアドレスＣ（１０．２．０．１）は、第１のＩＰアドレスＸ１（１０．２．０．０／１６）に含まれるＩＰアドレスに一致するため、フェムトセル基地局１２は、送信先ＩＰアドレスＣ（１０．２．０．１）を含むＴＰＣ［ＳＹＮ］のメッセージを加入者網終端装置１３の第１のインターフェース１３１から、コアネットワーク３０内の外部ＩＰ網間ゲートウェイ３３に転送する（ステップＳＴ５７）。
【０１０１】
この外部ＩＰ網間ゲートウェイ３３は、ＮＡＴテーブルを参照して、受信したメッセージの送信先ＩＰアドレスをＩＰアドレスＣ（１０．２．０．１）からＩＰアドレスＤ（２０．２．０．１）に変換し、このＴＣＰ［ＳＹＮ］のメッセージを公式サイトの第１のサーバー４１に転送する（ステップＳＴ５８）。ここで、外部ＩＰ網間ゲートウェイ３３は、ＮＡＴテーブルを参照して、受信したメッセージの送信元ＩＰアドレスをＩＰアドレスＡ（１０．１．０．１）からＩＰアドレスＥ（５０．１．０．１）に変換している。以下、ＩＰアドレスＡからＩＰアドレスＥへの変換についての説明は省略する。
【０１０２】
この第１のサーバー４１は、このメッセージを受信すると、ＴＣＰ［ＳＹＮ，ＡＣＫ］のメッセージを外部ＩＰ網間ゲートウェイ３３に送信する（ステップＳＴ５９）。この外部ＩＰ網間ゲートウェイ３３は、ＮＡＴテーブルを参照して、受信したメッセージの送信元ＩＰアドレスをＩＰアドレスＤ（２０．２．０．１）からＩＰアドレスＣ（１０．２．０．１）に変換し、このＴＣＰ［ＳＹＮ，ＡＣＫ］のメッセージを移動体端末１１に転送する（ステップＳＴ６０）。
【０１０３】
この移動体端末１１は、このメッセージを受信すると、ＴＣＰ［ＡＣＫ］のメッセージを外部ＩＰ網間ゲートウェイ３３に送信する（ステップＳＴ６１）。この外部ＩＰ網間ゲートウェイ３３は、ＮＡＴテーブルを参照して、受信したメッセージの送信先ＩＰアドレスをＩＰアドレスＣ（１０．２．０．１）からＩＰアドレスＤ（２０．２．０．１）に変換し、このＴＣＰ［ＡＣＫ］のメッセージを公式サイトの第１のサーバー４１に転送する（ステップＳＴ６２）。
【０１０４】
次いで、移動体端末１１は、ＧＥＴ／ＨＴＴＰ／１．１のメッセージを外部ＩＰ網間ゲートウェイ３３に送信する（ステップＳＴ６３）。この外部ＩＰ網間ゲートウェイ３３は、ＮＡＴテーブルを参照して、受信したメッセージの送信先ＩＰアドレスをＩＰアドレスＣ（１０．２．０．１）からＩＰアドレスＤ（２０．２．０．１）に変換し、このＧＥＴ／ＨＴＴＰ／１．１のメッセージを公式サイトの第１のサーバー４１に転送する（ステップＳＴ６４）。
【０１０５】
この第１のサーバー４１は、このメッセージを受信すると、ＴＣＰ［ＡＣＫ］のメッセージを外部ＩＰ網間ゲートウェイ３３に送信する（ステップＳＴ６５）。この外部ＩＰ網間ゲートウェイ３３は、ＮＡＴテーブルを参照して、受信したメッセージの送信元ＩＰアドレスをＩＰアドレスＤ（２０．２．０．１）からＩＰアドレスＣ（１０．２．０．１）に変換し、このＴＣＰのメッセージを移動体端末１１に転送する（ステップＳＴ６６）。
【０１０６】
次いで、第１のサーバー４１が、ＨＴＴＰ ２００ ＯＫのメッセージを外部ＩＰ網間ゲートウェイ３３に送信する（ステップＳＴ６７）。この外部ＩＰ網間ゲートウェイ３３は、ＮＡＴテーブルを参照して、受信したメッセージの送信元ＩＰアドレスをＩＰアドレスＤ（２０．２．０．１）からＩＰアドレスＣ（１０．２．０．１）に変換し、このＨＴＴＰ ２００ ＯＫのメッセージを移動体端末１１に転送する（ステップＳＴ６８）。
【０１０７】
これにより、移動体端末１１は、インターネット４０上において第１のサーバー４１が提供する公式サイト（ＩＰアドレス：２０．２．０．１）と接続される。
【０１０８】
次に、図１１は、方式２における勝手サイトへのアクセスのシーケンスの一例について示すシーケンス図である。
図１１に示す通り、ここに示す処理は、図９に示す処理と同様であるため、同一の符号を付して、詳細な説明は省略する。
【０１０９】
上述の通り、本実施形態に係る通信制御システムにおける方式２では、方式１が備える構成に加えて、フェムトセル基地局１２が備えるルーティングテーブルに、第１のインターフェース１３１に対応付けられている第１のＩＰアドレスＸ１として、集約されているＩＰアドレスＸＡ（２０．２．０．０／１６）を第１のインターフェース１３１に対応付けるようにした。
また、外部ＩＰ網間ゲートウェイ３３に、この集約されているＩＰアドレスＸＡ（２０．２．０．０／１６）に含まれるＩＰアドレスＣに、インターネット４０上で利用できるＩＰアドレスＤを対応付けるＮＡＴテーブルを実装させるようにした。さらに、ＤＮＳサーバー３２に設定されるマッピングにおいて、このＩＰアドレスＣを、ドメイン名に対応づけ、名前解決によってＩＰアドレスＣを得るようにした。
これにより、フェムトセル基地局１２のルーティングテーブルが保持する情報量を低減させるとともに、サービス性（低遅延）と運用性（更新・設定変更）を確保しつつ、コアネットワーク３０のトラヒックを低減することができる。
【０１１０】
また、勝手サイトよりはサイト数が少ない公式サイトであっても、数千から数万のサイト数が存在している。よって、例えば、公式サイトのＩＰアドレスが変更するたびに、変更後のＩＰアドレスを、各フェムトセル基地局１２に送信し、ルーティングテーブルを書き換え（更新・設定変更）なければならない。しかし、集約されたＩＰアドレスＸＡを第１のＩＰアドレスＸ１として第１のインターフェース１３１に対応付けておくことにより、変更後のＩＰアドレスがこの集約されたＩＰアドレスＸＡに含まれるＩＰアドレスである場合、ルーティングテーブルの書き換え等の作業が不要となり、時間と労力を削減することができる。
【０１１１】
さらに、フェムトセル基地局１２が、自宅内に設置される装置として安価に開発されたものである場合、メモリの容量が少なく、処理能力が低いＣＰＵ（ Ｃｅｎｔｒａｌ Ｐｒｏｃｅｓｓｉｎｇ Ｕｎｉｔ ）を搭載している場合がある。この場合、ルーティングテーブルから参照されるＩＰアドレスの数が少ないことにより、ルーティングの時間を短縮することができ、制御遅延を防止し、低遅延を要求するアプリケーションの動作に与える影響を軽減することができる。
つまり、サービス性（低遅延）と運用性（更新・設定変更）を確保しつつ、コアネットワーク３０のトラヒックを低減することができる。
【０１１２】
また、勝手サイトは、公式サイトに比べて、そのサイト数が膨大であるため、フェムトセル基地局１２のルーティングテーブルにおいて、勝手サイト向けの第２のインターフェース１３２に対してデフォルトルートを対応付けるようにした。
これにより、フェムトセル基地局１２のルーティングテーブルが保持する情報量を低減させることができる。
【０１１３】
なお、本実施形態に係る通信制御システムにおける各構成は、上記実施形態に限られず、以下のような構成であってもよい。
例えば、フェムトセル基地局１２におけるルーティングテーブルは、デフォルトルートとして公式サイトに対応するＩＰアドレスを備える構成であってもよく、この場合、勝手サイトの実際のＩＰアドレスを第１のインターフェース１３１と対応付けるものであってもよい。
また、デフォルトルートとして公式サイトを対応付ける場合、ルーティングテーブルにおいて、複数の勝手サイトの複数のＩＰアドレスを集約したＩＰアドレスに、第１のインターフェース１３１を対応付けるものであってもよい。
【０１１４】
さらに、フェムトセル基地局１２におけるルーティングテーブルは、第１のインターフェース１３１および第２のインターフェース１３２に対して、デフォルトルートを対応付けないものであってもよく、インターネット４０に向けて送信されるメッセージの送信先を表わす全てのＩＰアドレスが記述されているものであってもよい。
【０１１５】
この場合、フェムトセル基地局１２は、このルーティングテーブルを参照して、移動体端末１１から受信したメッセージに含まれる送信先のＩＰアドレスに基づき、第１のインターフェース１３１に対応付けられている第１のＩＰアドレスＸ１に、送信先のＩＰアドレスと一致するＩＰアドレスが含まれているか否かを判断するとともに、第２のインターフェース１３２に対応付けられている第２のＩＰアドレスＸ２に、送信先のＩＰアドレスと一致するＩＰアドレスが含まれているか否かを判断する。
そして、メッセージの送信先を表わすＩＰアドレスが第１のＩＰアドレスＸ１に含まれる場合、ルーティングテーブルに基づき、第１のインターフェース１３１に接続されているコアネットワーク３０を介して、このメッセージを第１のサーバー４１に転送する。
また、メッセージの送信先を表わすＩＰアドレスが第２のＩＰアドレスＸ２に含まれる場合、ルーティングテーブルに基づき、第２のインターフェース１３２に接続されている固定ブロードバンド網２０を介して、このメッセージを第２のサーバー４２に転送する。
【０１１６】
また、本実施形態に係る通信制御システムの説明に用いた用語について、以下簡単に説明する。
【０１１７】
フェムトセル基地局とは、移動体通信システムにおいて端末が発信する無線を終端する装置である。このフェムトセルとは、本来カバレッジを表すセルがとても小さい状態であることを示す言葉であり、その小さなセルを構成する基地局のことをフェムトセル基地局という。しかし、一意の用語の定義では、この小さなセルを構成する基地局を、固定ブロードバンド網に接続して、フェムトセルＧＷを介し、移動体通信システムに携帯電話のトラヒックを収容する形態で利用する小型の基地局に限って、フェムトセル基地局と呼ばれることが多く、ここでは、この固定ブロードバンド網に接続して利用される小型基地局という意味でフェムトセルという言葉を利用する。
【０１１８】
Ａｃｔｉｖａｔｅ ＰＤＰ ｃｏｎｔｅｘｔ ｒｅｑｕｅｓｔは、携帯端末がインターネットアクセスに必要な設定情報（通常、ＩＰｖ４アドレスやＤＮＳサーバー情報）の取得と通信セッションの確立を要求するために発出されるメッセージである。
Ａｃｔｉｖａｔｅ ＰＤＰ ｃｏｎｔｅｘｔ ａｃｃｅｐｔでは、取得要求を承認し、携帯端末に対してＩＰアドレスやＤＮＳサーバー情報を通知するために利用されるメッセージである。
【０１１９】
ＮＡＴとは、フェムトセル基地局１２や外部ＩＰ網間ゲートウェイ３３において、転送されるメッセージの送信先ＩＰアドレスあるいは送信元ＩＰアドレスを、ＮＡＴテーブルを参照して変換する処理をいう。
【０１２０】
また、上述において具体的に示したＩＰアドレスは、実施形態を説明するための任意の数値であって、その数値によってプライベートＩＰアドレスであること、あるいは、グローバルＩＰアドレスであることのみを特定するものではない。例えば、インターネット４０上で利用できるＩＰアドレスをグローバルＩＰアドレスとし、加入者網１０、固定ブロードバンド網２０およびコアネットワーク３０上で利用されるＩＰアドレスをプライベートＩＰとするものであってもよく、このように、ネットワークに応じてグローバルやプライベートの区別がないものであってもよい。
【符号の説明】
【０１２１】
１０…加入者網、１１…移動体端末、１２…フェムトセル基地局、１３…加入者網終端装置、２０…固定ブロードバンド網、３０…コアネットワーク、３１…固定網間ゲートウェイ、３２…ＤＮＳ、３３…外部ＩＰ網間ゲートウェイ、４０…インターネット、４１…第１のサーバー、４２…第２のサーバー
【図１】
0005398509.tif 000002
【図２】
0005398509.tif 000003
【図３】
0005398509.tif 000004
【図４】
0005398509.tif 000005
【図５】
0005398509.tif 000006
【図６】
0005398509.tif 000007
【図７】
0005398509.tif 000008
【図８】
0005398509.tif 000009
【図９】
0005398509.tif 000010
【図１０】
0005398509.tif 000011
【図１１】
0005398509.tif 000012
【図１２】
0005398509.tif 000013
【図１３】
0005398509.tif 000014